(57)【要約】【課題】より好適な情報出力制御装置を提供することを主たる目的とする。【解決手段】受信したオリジナルの２Ｄ映像が映像処理モジュール２５４から出力されて２Ｄ映像が映像表示モジュール１１４で表示中である場合と、受信したオリジナルの３Ｄ映像が映像処理モジュール２５４から出力されて３Ｄ映像が表示中である場合と、３Ｄ−２Ｄ変換機能により変換された２Ｄ映像が映像処理モジュール２５４から出力されて２Ｄ映像が表示中である場合と、２Ｄ−３Ｄ変換機能により変換された３Ｄ映像が映像処理モジュール２５４から出力されて３Ｄ映像が表示中である場合のそれぞれで、３Ｄ／３Ｄ−２Ｄインジケータ１２１の点灯及び消灯が異なるようにインジケータ制御モジュール２６１ｄによって制御される。【選択図】  図２
2012054723.tif 000002
【特許請求の範囲】
【請求項１】
３Ｄ映像または２Ｄ映像の映像信号を受信する受信モジュールと、
前記映像信号を受け、３Ｄ映像または２Ｄ映像を出力する映像処理モジュールと、
点灯及び消灯するインジケータと、
前記インジケータの点灯及び消灯を制御する制御モジュールとを備え、
前記映像処理モジュールは、受信した３Ｄ映像を２Ｄ映像へ変換処理し、当該変換２Ｄ映像を出力する変換モジュールを含み、
前記制御モジュールは、前記映像処理モジュールにて前記変換処理が実行されていることを示すように前記インジケータの点灯または消灯の状態を制御する情報出力制御装置。
【請求項２】
前記制御モジュールは、
前記映像処理モジュールにて前記変換処理がされて変換２Ｄ映像が出力される場合に前記インジケータを第１の色で点灯させ、
前記映像処理モジュールにて前記変換処理がされずに２Ｄ映像が出力される場合に前記インジケータを第１の色とは異なる第２の色で点灯させるか消灯させるよう制御する請求項１に記載の情報出力制御装置。
【請求項３】
前記制御モジュールは、
前記映像処理モジュールにて３Ｄ映像が出力される場合に前記インジケータを、前記第１の色とは異なる第３の色で点灯させるよう制御する請求項２に記載の情報出力制御装置。
【請求項４】
前記制御モジュールは、更に、電源状態がオフであること及び電源状態がオンであることを示すように前記インジケータの点灯及び消灯を制御することを特徴とする請求項１乃至請求項３のいずれかに記載の情報出力制御装置。
【請求項５】
前記制御モジュールは、
前記受信モジュールが受信する映像信号が３Ｄ映像か２Ｄ映像かを判定する判定手段と、
前記判定手段にて３Ｄ映像であると判定した場合に、３Ｄ映像を２Ｄ映像へ自動的に変換処理するか否かの設定をユーザに許可する選択メニューを表示するよう制御する選択メニュー表示制御手段とを含む請求項１に記載の情報出力制御装置。
【請求項６】
３Ｄ映像または２Ｄ映像の映像信号を受信する受信モジュールと、
前記映像信号を受け、３Ｄ映像または２Ｄ映像を出力する映像処理モジュールと、
前記映像処理モジュールが前記３Ｄ映像または２Ｄ映像とともに案内情報を表示するよう制御する情報出力制御モジュールとを備え、
前記映像処理モジュールは、受けた３Ｄ映像を２Ｄ映像へ変換処理し、当該変換２Ｄ映像を出力する変換モジュールを含み、
前記情報出力制御モジュールは、前記映像処理モジュールにて前記変換処理が実行されていることを示す情報を含むように前記案内情報を制御し、かつ、前記映像信号のチャンネルの切り替え処理に応じて前記映像処理モジュールにて前記変換処理が実行されていることを示す情報を含む案内情報が前記映像処理モジュールにて出力されるよう制御する情報出力制御装置。
【発明の詳細な説明】
【技術分野】
【０００１】
この発明の実施形態は、各種案内情報の出力を制御する情報出力制御装置及び情報出力制御方法に関する。
【背景技術】
【０００２】
近年、３Ｄ映像（3-dimensional image）の表示が望まれており、３Ｄ映像に対応したテレビ及びＤＶＤプレイヤー等が今後普及すると考えられる。３Ｄ映像対応機器としては、２Ｄ映像（2-dimensional image）のコンテンツを３Ｄ映像に変換（２Ｄ−３Ｄ変換）し、３Ｄ映像を出力する機能を備えるものがある。また、これとは逆に３Ｄ映像のコンテンツを２Ｄ映像に変換（３Ｄ−２Ｄ変換）し、２Ｄ映像を出力する機能を備えるものがある。
【先行技術文献】
【特許文献】
【０００３】
【特許文献１】特開２００８−５２０３号公報
【発明の概要】
【発明が解決しようとする課題】
【０００４】
上記のとおり、３Ｄ−２Ｄ変換機能を備える機器がある。例えば、受信したコンテンツが３Ｄ映像であると判断された場合に、自動的に３Ｄ−２Ｄ変換機能をオンにして２Ｄ映像をユーザが視聴できるように設定項目を備えるテレビが考えられる。
【０００５】
しかしながら当該設定にて自動的な３Ｄ−２Ｄ変換機能をオンにして２Ｄ映像のコンテンツをユーザが視聴していたことを想定した場合、元々２Ｄ映像のコンテンツを２Ｄ映像として視聴しているのか、あるいは元々３Ｄ映像のコンテンツが、３Ｄ−２Ｄ変換機能を用いて変換された２Ｄ映像のコンテンツを視聴しているのかをユーザが気づけない可能性がある。そうすると、３Ｄ映像のコンテンツを３Ｄで楽しむ機会をユーザが逃してしまうことが考えられる。
【０００６】
そこで本発明は、このような不利益を回避し、ユーザに対してより好適な情報出力制御装置を提供することを主たる目的とする。
【課題を解決するための手段】
【０００７】
実施形態の情報出力制御装置は、３Ｄ映像または２Ｄ映像の映像信号を受信する受信モジュールと、前記映像信号を受け、３Ｄ映像または２Ｄ映像を出力する映像処理モジュールと、点灯及び消灯するインジケータと、前記インジケータの点灯及び消灯を制御する制御モジュールとを備え、前記映像処理モジュールは、受信した３Ｄ映像を２Ｄ映像へ変換処理し、当該変換２Ｄ映像を出力する変換モジュールを含み、前記制御モジュールは、前記映像処理モジュールにて前記変換処理が実行されていることを示すように前記インジケータの点灯または消灯の状態を制御する。
【図面の簡単な説明】
【０００８】
【図１】第１の実施形態に係るテレビジョン放送受信装置の外観を説明するための図である。
【図２】第１の実施形態に係るテレビジョン放送受信装置の主要な信号処理系を示す図である。
【図３】第１の実施形態に係るテレビジョン放送受信装置の外観を説明するための図である。
【図４】第２の実施形態に係るテレビジョン放送受信装置の主要な信号処理系を示す図である。
【図５】第２の実施形態に係るテレビジョン放送受信装置の外観を説明するための図である。
【図６】第２の実施形態に係るテレビジョン放送受信装置の外観を説明するための図である。
【発明を実施するための形態】
【０００９】
以下、この発明の実施形態について、図面を参照しながら説明する。図１は、以下の実施形態で説明するテレビジョン放送受信装置１１１の外観の一例を概略的に示している。
【００１０】
テレビジョン放送受信装置１１１は、主として、薄型の筐体（以下、キャビネット１１２）と、このキャビネット１１２を起立させて支持する支持台１１３とから構成されている。なお、支持台１１３を含めてキャビネットと称してもよい。キャビネット１１２には、例えば液晶表示パネルやプラズマパネル等を備えた平面パネル型ディスプレイである映像表示モジュール１１４、一対のスピーカ１１５、操作モジュール１１６、リモートコントローラ１１７から送信される操作情報を受けるリモコン受光モジュール１１８等が設置されている。操作モジュール１１６は、キャビネット１１２の前面ではなく側面に配置されていても構わない。
【００１１】
キャビネット１１２の前面ほぼ中央であって、映像表示モジュール１１４下部にはイルミネーション１１９が設けられている。イルミネーション１１９には、例えば社名や機種名を示す文字や記号（ロゴ部）が設けられており、例えばＬＥＤライトを光源としている。イルミネーション１１９は、電源がユーザ操作に応じてオフ状態からオン状態になると点灯し、オフ状態になると消灯する。
【００１２】
キャビネット１１２の右下部には、当該テレビジョン放送受信装置１１１の電源状態を示す電源インジケータ１２０がリモコン受光モジュール１１８と隣り合って設けられている。電源インジケータ１２０も例えばＬＥＤを光源としている。電源インジケータ１２０の配置は任意である。
【００１３】
また、キャビネット１１２の右下部には電源インジケータ１２０とは異なるインジケータとして、３Ｄ／３Ｄ−２Ｄインジケータ１２１が電源インジケータ１２０と隣り合って設けられている。３Ｄ／３Ｄ−２Ｄインジケータ１２１は、３Ｄ映像が表示中であること及び２Ｄ映像が表示中であるという案内情報を示す。本実施形態の３Ｄ／３Ｄ−２Ｄインジケータ１２１は少なくとも、オリジナルの３Ｄ映像が表示中であること、後述する３Ｄ変換処理モジュール２５４ａの２Ｄ−３Ｄ変換機能により変換処理された３Ｄ映像（変換３Ｄ映像）が表示中であること、オリジナルの２Ｄ映像が表示中であること、後述する２Ｄ変換処理モジュール２５４ｂの３Ｄ−２Ｄ変換機能により変換処理された２Ｄ映像（変換２Ｄ映像）が表示中であることを区別して示す。３Ｄ／３Ｄ−２Ｄインジケータ１２１も例えばＬＥＤを光源としている。
【００１４】
図２は、テレビジョン放送受信装置１１１の主要な信号処理系の一例を示している。ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００１５】
チューナ２４５で選局された放送信号は、ＰＳＫ（Phase Shift Keying）復調器２４６に供給されてＴＳ(Transport Stream)が復調される。このＴＳは、ＴＳ復号器２４７に供給されてデジタルの映像信号、音声信号、データ信号等に復号化された後、信号処理モジュール２４８に出力される。
【００１６】
地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００１７】
チューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理モジュール２４８に出力される。
【００１８】
地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理モジュール２４８に出力される。
【００１９】
信号処理モジュール２４８は、テレビ視聴時には、ＴＳ復号器２４７およびＴＳ復号器２５３からそれぞれ供給されたデジタルの映像信号及び音声信号に対して、選択的に所定のデジタル信号処理を施し、映像処理モジュール２５４及び音声処理モジュール２５５に出力している。供給される映像信号は３Ｄ映像のコンテンツの映像信号であってもよいし、２Ｄ映像のコンテンツの映像信号であってもよい。
【００２０】
３Ｄ映像のコンテンツは、例えばサイドバイサイド(Side-by-Side)方式の映像信号である。サイドバイサイド方式は、左目用画像の１フレームと、右目用画像の１フレームの２つのフレームをそれぞれ水平方向に２分の１に圧縮し、それらを横に並べて１枚のフレームとして送信する方式である。サイドバイサイド方式の映像信号を受信したテレビジョン映像表示装置１１１は、左目用画像及び右目用画像を画面サイズに拡張して交互に表示する。ユーザは、電子シャッター式メガネ（不図示）で各画像と同期をとることにより、左目では左目用画像、右目では右目用画像を見て、立体的な画像を視聴することができる。
【００２１】
なお、テレビジョン映像表示装置１１１が対応する３Ｄ映像のコンテンツの方式は、サイドバイサイド方式以外に、ラインバイライン(line by line)方式、トップアンドボトム(top and botom)方式、フレームパッキング方式などであってもよい。また、テレビジョン映像表示装置１１１における３Ｄ視聴方式は、電子シャッター式メガネを用いる方式以外に、偏光メガネを用いたり、専用のメガネを用いないいわゆる裸眼式であってもよい。例えば、「インテグラルイメージング方式（光線再生方式）」では、角度が異なる多数の光を出すことで、専用のメガネがなくても、ユーザは立体的な映像を視聴することが出来る。
【００２２】
制御モジュール２６１には、信号処理モジュール２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御モジュール２６１は、これら入力された情報からＥＰＧ，字幕を表示するため画像生成処理を行い、この生成した画像情報を映像処理モジュール２５４へ出力する。
【００２３】
映像処理モジュール２５４は、信号処理モジュール２４８から供給されるデジタルの映像信号にＧＵＩ（Graphical User Interface）等のＯＳＤ信号を重畳して出力する機能を有する。また、映像処理モジュール２５８は、入力されたデジタルの映像信号を、映像表示モジュール１１４で表示可能なフォーマットのアナログ映像信号に変換した後、映像表示モジュール１１４に出力して映像表示させる。また、出力端子２５９を介して映像信号を外部に導出させることもできる。
【００２４】
映像処理モジュール２５４は、３Ｄ変換処理モジュール２５４ａと２Ｄ変換処理モジュール２５４ｂとを含む。３Ｄ変換処理モジュール２５４ａは、各アンテナ、ＤＶＤ等のメディアやインターネット等から受信するオリジナル映像信号（２Ｄ映像信号）を３Ｄ映像信号に変換して出力する。つまり、３Ｄ変換処理モジュール２５４ａは、２Ｄ−３Ｄ変換機能を有し、受信したオリジナル映像信号（２Ｄ映像信号）を３Ｄ映像信号に変換処理して出力する。２Ｄ−３Ｄ変換処理は、上述したような多種の方式に応じて異なるが、例えば、以下のようにして２Ｄ−３Ｄ変換処理がなされて、３Ｄ映像が視聴される。受信した映像信号（２Ｄ映像信号）の特徴から構図を推定することや、複数の物体の動きを検出し物体間の前後関係を推定すること、さらに人の顔と体を推定することなどの各種推定処理により３Ｄ映像用の右目用の映像信号及び左目用の映像信号を生成して、つまりは３Ｄ映像信号を生成する。そして、映像処理モジュール２５４から出力された３Ｄ映像信号が映像表示モジュール１１４で表示され、電子シャッター式メガネを用いて視聴すると、３Ｄ映像が視聴される。
【００２５】
２Ｄ変換処理モジュール２５４ｂは、各アンテナ、ＤＶＤ等のメディアやインターネット等から受信するオリジナル映像信号（３Ｄ映像信号）を２Ｄ映像信号に変換して出力する。つまり、２Ｄ変換処理モジュール２５４ｂは、３Ｄ−２Ｄ変換機能を有し、受信したオリジナル映像信号（３Ｄ映像信号）を２Ｄ映像信号に変換処理して出力する。３Ｄ−２Ｄ変換処理は、上述したような多種の方式に応じて異なるが、例えば、以下のようにして３Ｄ−２Ｄ変換処理がなされて、２Ｄ映像が視聴される。受信した映像信号（３Ｄ映像信号）に含まれる右目用映像信号と左目用映像信号からいずれか片方の映像信号（例えば右目用映像信号）のみを出力するように処理して、つまりは２Ｄ映像信号を生成する。そして、映像処理モジュール２５４から出力された２Ｄ映像信号が映像表示モジュール１１４で表示され、２Ｄ映像が視聴される。
【００２６】
なお、映像処理モジュール２５４は、上記したように、３Ｄから２Ｄに変換された変換２Ｄ映像信号、２Ｄから３Ｄに変換された変換３Ｄ信号を出力することもできるし、２Ｄ−３Ｄ変換や３Ｄ−２Ｄ変換を行わずに２Ｄ映像信号を２Ｄ映像として、３Ｄ映像信号を３Ｄ映像として出力することもできる。
【００２７】
音声処理モジュール２５５は、入力されたデジタルの音声信号を、スピーカ１１５で再生可能なフォーマットのアナログ音声信号に変換した後、スピーカ１１５に出力して音声再生させる。また、出力端子２６０を介して音声信号を外部に導出させることもできる。
【００２８】
テレビジョン放送受信装置１１１は、上記した各種の受信動作を含むその全ての動作を制御モジュール２６１によって統括的に制御されている。制御モジュール２６１は、ＣＰＵ（Central Processing Unit）やマイコン等を内蔵しており、操作モジュール１１６からの操作情報を受け、または、リモートコントローラ１１７から前記受光モジュール１１８を介して受信した操作情報を受けて、その操作内容が反映されるように各部をそれぞれ制御している。
【００２９】
制御モジュール２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを利用している。
【００３０】
制御モジュール２６１にはインジケータ制御モジュール２６１ｄが含まれている。インジケータ制御モジュール２６１ｄは、電源インジケータ１２０及び３Ｄ／３Ｄ−２Ｄインジケータ１２１を含め、テレビジョン放送受信装置１１１が有する各種インジケータの点灯及び消灯を制御する。なお、電源インジケータ１２０及び３Ｄ／３Ｄ−２Ｄインジケータ１２１は後述するように電源状態や３Ｄ−２Ｄ変換機能が実行されていること等の各種情報を点灯及び消灯等によって示すので、インジケータ制御モジュール２６１ｄは後述する情報出力制御モジュール２６１ｅと同様に情報出力制御モジュールと称することもできる。
【００３１】
電源インジケータ１２０及び３Ｄ／３Ｄ−２Ｄインジケータ１２１の点灯及び消灯は、具体的には例えば以下に説明するように制御される。操作モジュール１１６に設けられた主電源ボタンを押すと、テレビジョン放送受信装置１１１が電源「入」の状態（オン状態）となり、電源インジケータ１２０が例えば緑色に点灯する。主電源ボタンを更にもう一度押すと、電源「切」の状態となり、映像表示や音声出力が止まるとともに、電源インジケータ１２０は消灯する。
【００３２】
電源「入」の状態で、リモートコントローラ１１７の電源ボタンを押すと、映像表示や音声出力が止まるとともに、電源インジケータ１２０が緑色から赤色や黄色等に変化し、一部の内部回路のみが動作したいわゆる待機状態となる。さらに、待機状態で、リモートコントローラ１１７の電源ボタンを押すと、電源インジケータ１２０が赤色から緑色等に変化し、映像表示モジュール１１４に所定の映像が表示されるとともに音声出力される。なお、本実施形態では、映像や音声が出力される状態をテレビジョン放送受信装置１１１の電源オン状態（動作状態）とし、映像や音声が出力されない状態を電源オフ状態とする。電源オフ状態には、主電源が入っていない状態だけに限らず、上記待機状態（本実施形態では、リモートコントローラ１１７の電源ボタンでテレビジョン放送受信装置１１１の電源を切った状態）も含むとする。このように電源インジケータ１２０は、電源がオフ状態であることを示す態様（上記例では、消灯、赤、黄）と電源がオン状態であることを示す態様（上記例では、緑）とを有している。
【００３３】
電源「入」の状態で、受信したオリジナルの３Ｄ映像信号が映像処理モジュール２５４にて出力されている場合（つまり、映像表示モジュール１１４に３Ｄ用の映像が表示される場合）、３Ｄ／３Ｄ−２Ｄインジケータ１２１が例えば青色に点灯する。
【００３４】
電源「入」の状態で、オリジナルの３Ｄ映像信号が２Ｄ変換処理モジュール２５４ｂにて３Ｄ−２Ｄ変換処理されている場合（つまり、映像表示モジュール１１４に２Ｄ用の映像が表示される場合）、３Ｄ／３Ｄ−２Ｄインジケータ１２１が例えば白色に点灯する。
【００３５】
電源「入」の状態で、受信したオリジナルの２Ｄ映像信号が映像処理モジュール２５４にて出力している場合（つまり、映像表示モジュール１１４に２Ｄ用の映像が表示される場合）、３Ｄ／３Ｄ−２Ｄインジケータ１２１が例えば消灯する。また、電源オフ状態では、３Ｄ／３Ｄ−２Ｄインジケータ１２１が例えば消灯する。
【００３６】
なお、電源「入」の状態で、オリジナルの２Ｄ映像信号が３Ｄ変換処理モジュール２５４ａにて２Ｄ−３Ｄ変換処理されている場合（つまり、映像表示モジュール１１４に３Ｄ用の映像が表示される場合）、３Ｄ／３Ｄ−２Ｄインジケータ１２１が例えば紫色に点灯する。
【００３７】
このように電源インジケータ１２０は、電源がオフ状態であることを示す態様（上記例では、消灯、赤、黄）と電源がオン状態であることを示す態様（上記例では、緑）とを有している。また、３Ｄ／３Ｄ−２Ｄインジケータ１２１は、オリジナルの３Ｄ映像が表示中であることを示す態様（上記例では青）、３Ｄ変換処理モジュール２５４ａの２Ｄ−３Ｄ変換機能により変換処理された３Ｄ映像が表示中であることを示す態様（上記例では白）、オリジナルの２Ｄ映像が表示中であることを示す態様（上記例では消灯）、２Ｄ変換処理モジュール２５４ｂの３Ｄ−２Ｄ変換機能により変換処理された２Ｄ映像が表示中であることを示す態様（上記例では紫）とを有している。
【００３８】
なお、電源インジケータ１２０と３Ｄ／３Ｄ−２Ｄインジケータ１２１の点灯色は、重複が無いように構成されることが、電源インジケータ１２０と３Ｄ／３Ｄ−２Ｄインジケータ１２１との役割を区別して認識する上で好ましい。また、電源「入」の状態で、受信したオリジナルの２Ｄ映像信号が映像処理モジュール２５４にて出力している場合（つまり、映像表示モジュール１１４に２Ｄ用の映像が表示される場合）、３Ｄ／３Ｄ−２Ｄインジケータ１２１を消灯以外に例えば黄色で点灯させてもよい。
【００３９】
また、テレビジョン放送受信装置１１１は、自動３Ｄ−２Ｄ変換機能を有する。すなわち、受信したコンテンツが３Ｄ映像であると判断した場合に、２Ｄ変換処理モジュール２５４ｂにて自動的に３Ｄ−２Ｄ変換処理を実行するよう制御モジュール２６１が制御するモードを備える。例えば、受信した映像信号に３Ｄコンテンツであることを示す識別子が含まれている場合、これを制御モジュール２６１にて検出することで受信した映像信号が３Ｄ映像のコンテンツか２Ｄ映像のコンテンツかを判断する。
【００４０】
制御モジュール２６１は、操作モジュール１１６やリモートコントローラ１１７の操作に応じて例えば図３に示すように、自動３Ｄ−２Ｄ変換機能を実行するか否かの選択メニュー１３１が表示されるよう制御する。「はい」を選択した場合であって、上記のとおり、受信したコンテンツが３Ｄ映像であると判断した場合には、２Ｄ変換処理モジュール２５４ｂにて３Ｄ−２Ｄ変換処理が実行さえる。なお、同様に自動２Ｄ−３Ｄ変換処理を実行し、当該自動２Ｄ−３Ｄ変換機能を実行するか否かの選択メニューが表示されるよう構成されていもよい。つまり、テレビジョン放送受信装置１１１の制御モジュール２６１には、受信する映像信号が３Ｄ映像か２Ｄ映像かを判定する判定手段と、判定手段にて３Ｄ映像であると判定した場合に、３Ｄ映像を２Ｄ映像へ自動的に変換処理するか否かの設定をユーザに許可する選択メニュー１３１を表示するよう制御する選択メニュー表示制御手段が含まれる。
【００４１】
以上説明したように第１の実施形態では、受信したオリジナルの２Ｄ映像が映像処理モジュール２５４から出力されて２Ｄ映像が映像表示モジュール１１４で表示中である場合と、受信したオリジナルの３Ｄ映像が映像処理モジュール２５４から出力されて３Ｄ映像が表示中である場合と、３Ｄ−２Ｄ変換機能により変換された２Ｄ映像が映像処理モジュール２５４から出力されて２Ｄ映像が表示中である場合と、２Ｄ−３Ｄ変換機能により変換された３Ｄ映像が映像処理モジュール２５４から出力されて３Ｄ映像が表示中である場合のそれぞれで、３Ｄ／３Ｄ−２Ｄインジケータ１２１の点灯及び消灯を異なるように制御される。このため、ユーザは、３Ｄ／３Ｄ−２Ｄインジケータ１２１が示す情報（点灯及び消灯の態様）を確認することで、２Ｄ−３Ｄ変換機能が実行されているか、３Ｄ−２Ｄ変換機能が実行されているか、あるいはいずれも実行されていないか等の状態かを容易に区別できる。
【００４２】
第１の実施形態によれば、図３に示したように自動３Ｄ−２Ｄ変換機能の設定項目を備えるテレビに好ましく適用できる。つまり、当該設定がオンにされていることを想定した場合、元々２Ｄ映像のコンテンツを視聴しているのか、あるいは元々３Ｄ映像のコンテンツが、３Ｄ−２Ｄ変換機能により変換された２Ｄ映像のコンテンツを視聴しているのかをユーザが気づかない可能性がある。しかし、本実施形態では、３Ｄ／３Ｄ−２Ｄインジケータ１２１により、ユーザは３Ｄ−２Ｄ変換機能が実行されているか否かを判別できる。従って、自動３Ｄ−２Ｄ変換機能の設定をオンにしていたとしても、ユーザが３Ｄ視聴を望む所定のコンテンツに対しては選択メニュー１３１にて３Ｄ−２Ｄ変換機能をオフにして、オリジナルの３Ｄ映像のコンテンツを３Ｄ映像として楽しむことが出来る。
【００４３】
次に、本発明の第２の実施形態について説明する。第２の実施形態では、同様の情報をインジケータを用いずにＧＵＩの案内情報としてユーザに提供する点が第１の実施形態と異なる。
【００４４】
第２の実施形態に係るテレビジョン放送受信装置について図４乃至図６を参照して説明する。なお、第１の実施形態と同様の点については、同一符号を付してその説明を省略するか簡略する。
【００４５】
図４は、第２の実施形態に係るテレビジョン放送受信装置２００の主要な信号処理系の一例を示している。
制御モジュール２６１に情報出力制御モジュール２６１ｅが含まれている。情報出力制御モジュール２６１ｅは、映像処理モジュール２５４が映像（３Ｄ映像または２Ｄ映像）とともに、図５及び図６に示すようなＧＵＩの案内情報を出力するよう制御する。つまり、情報出力制御モジュール２６１ｅは、３Ｄ−２Ｄ変換機能により変換された２Ｄ映像が表示中である場合（３Ｄ−２Ｄ変換処理が実行されている場合）に、例えば図５に示すように３Ｄ−２Ｄ変換表示中であることを示す案内情報３００を出力するよう制御する。案内情報３００は、リモートコントローラ１１７や操作モジュール１１６による放送チャンネルの切り換え処理に応じて一定時間表示され、一定時間経過後に非表示となることが好ましい。これにより、映像視聴の妨げになることを回避できる。
【００４６】
また、電源「入」の状態で、受信したオリジナルの３Ｄ映像信号を映像処理モジュール２５４にて出力している場合（つまり、映像表示モジュール１１４に３Ｄ用の映像が表示される場合）、その旨を示す案内情報（例えば、３Ｄ表示中）を表示するようにしてもよい。
【００４７】
また、電源「入」の状態で、受信したオリジナルの２Ｄ映像信号を映像処理モジュール２５４にて出力している場合（つまり、映像表示モジュール１１４に２Ｄ用の映像が表示される場合）は、案内情報を非表示にすることができる。
【００４８】
また、電源「入」の状態で、オリジナルの２Ｄ映像信号が３Ｄ変換処理モジュール２５４ａによって３Ｄ映像に変換されて出力されている場合（つまり、映像表示モジュール１１４に３Ｄ用の映像が表示される場合）、例えば図６に示すようにその旨を示す案内情報３０１を表示するようにしてもよい。
【００４９】
以上説明したように第２の実施形態では、受信したオリジナルの２Ｄ映像が映像処理モジュール２５４から出力されて２Ｄ映像が映像表示モジュール１１４に表示中である場合と、受信したオリジナルの３Ｄ映像が映像処理モジュール２５４から出力されて３Ｄ映像が表示中である場合と、３Ｄ−２Ｄ変換機能により変換された２Ｄ映像が映像処理モジュール２５４から出力されて２Ｄ映像が表示中である場合と、２Ｄ−３Ｄ変換機能により変換された３Ｄ映像が映像処理モジュール２５４から出力されて３Ｄ映像が表示中である場合のそれぞれで、ＧＵＩの案内情報が映像と重畳して表示されるよう制御される。このため、ユーザは、案内情報の内容を確認することで、２Ｄ−３Ｄ変換機能が実行されているか、３Ｄ−２Ｄ変換機能が実行されているか、あるいはいずれも実行されていないか等の状態かを容易に区別することがでる。
【００５０】
第２の実施形態によれば、第１の実施形態と同様、図３に示したように自動３Ｄ−２Ｄ変換機能の設定項目を備える映像機器に好ましく適用できる。従って、自動３Ｄ−２Ｄ変換機能の設定をオンにしてあったとしても、所望のコンテンツに対しては、３Ｄ−２Ｄ変換機能をオフにし、オリジナルの３Ｄ映像のコンテンツを３Ｄ映像のままで楽しむことが出来る。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。
【００５２】
例えば、第１の実施形態では、電源インジケータ１２０と３Ｄ／３Ｄ−２Ｄインジケータ１２１とを分けて構成していたが、これを兼用してもよい。つまり、電源インジケータ１２０と３Ｄ／３Ｄ−２Ｄインジケータ１２１の役割を一つのインジケータで実現しても良い。かかる構成によればインジケータの部品点数を削減することが出来るとともに、電源インジケータと３Ｄ／３Ｄ−２Ｄインジケータの区別を間違えることを低減できる。
【００５３】
また、第１の実施形態と第２の実施形態とを組み合わせることも出来る。つまり、３Ｄ／３Ｄ−２Ｄインジケータ１２１による点灯及び消灯と、案内情報３００等の両者によって、２Ｄ−３Ｄ変換機能が実行されているか、３Ｄ−２Ｄ変換機能が実行されているか、あるいはいずれも実行されていないか等の状態かを区別できるように構成してもよい。
【００５４】
なお、インジケータの点灯の仕方は任意であり、例えば電源インジケータは点滅させず、３Ｄ／３Ｄ−２Ｄインジケータは点滅させるように構成することも可能である。かかる構成によれば、電源インジケータと３Ｄ／３Ｄ−２Ｄインジケータとを点灯と点滅という状態の違いによって容易に区別することもできる。
【符号の説明】
【００５５】
１１１…テレビジョン放送受信装置、１１２…キャビネット、１１３…支持台、１１４…映像表示モジュール、１１５…スピーカ、１１６…操作モジュール、１１７…リモートコントローラ、１１８…受光モジュール、１１９…イルミネーション、１２０…電源インジケータ、１２１…３Ｄ／３Ｄ−２Ｄインジケータ、１３１…選択メニュー、２００…テレビジョン放送受信装置、２４３…アンテナ、２４４…入力端子、２４５…チューナ、２４６…ＰＳＫ復調器、２４７…ＴＳ復号器、２４８…信号処理モジュール、２４９…アンテナ、２５０…入力端子、２５１…チューナ、２５２…ＯＦＤＭ復調器、２５３…ＴＳ復号器、２５４…映像処理モジュール、２５５…音声処理モジュール、２５９…出力端子、２６０…出力端子、２６１…制御モジュール、２６１ａ…ＲＯＭ、２６１ｂ…ＲＡＭ、２６１ｃ…不揮発性メモリ、２６１ｄ…インジケータ制御モジュール、２６１ｅ…情報出力制御モジュール、３００…案内情報、３０１…案内情報
【図１】
2012054723.tif 000003
【図２】
2012054723.tif 000004
【図３】
2012054723.tif 000005
【図４】
2012054723.tif 000006
【図５】
2012054723.tif 000007
【図６】
2012054723.tif 000008
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
３Ｄ映像または２Ｄ映像の映像信号を受信する受信モジュールと，
前記映像信号を受け，３Ｄ映像または２Ｄ映像を出力する映像処理モジュールと，
点灯及び消灯するインジケータと，
前記インジケータの点灯及び消灯を制御する制御モジュールとを備え，
前記映像処理モジュールは，受信した３Ｄ映像を２Ｄ映像へ変換処理し，当該変換２Ｄ映像を出力する変換モジュールを含み，
前記制御モジュールは，
３Ｄ映像を２Ｄ映像へ自動的に変換処理するか否かをユーザに選択させる選択メニューを表示するよう制御する選択メニュー表示制御手段と，
前記選択メニューに基づく選択の結果を受け付ける受付手段と，
前記受付手段にて「３Ｄ映像を２Ｄ映像へ自動的に変換処理する」ことを受け付けた場合に，前記受信モジュールが受信する映像信号が３Ｄ映像か２Ｄ映像かを判定する判定手段と，
前記判定手段にて３Ｄ映像であると判定した場合に，３Ｄ映像を２Ｄ映像へ変換処理するよう前記変換モジュールに指示する指示部と，
前記変換モジュールにて前記変換処理が実行されていることを示すように前記インジケータの点灯または消灯の状態を制御する点灯制御手段と，を含む
情報出力制御装置。
【請求項２】
前記点灯制御手段は，
前記映像処理モジュールにて前記変換処理がされて変換２Ｄ映像が出力される場合に前記インジケータを第１の色で点灯させ，
前記映像処理モジュールにて前記変換処理がされずに２Ｄ映像が出力される場合に前記インジケータを第１の色とは異なる第２の色で点灯させるか消灯させるよう制御する請求項１に記載の情報出力制御装置。
【請求項３】
前記点灯制御手段は，
前記映像処理モジュールにて３Ｄ映像が出力される場合に前記インジケータを，前記第１の色とは異なる第３の色で点灯させるよう制御する請求項２に記載の情報出力制御装置。
【請求項４】
前記点灯制御手段は，更に，電源状態がオフであること及び電源状態がオンであることを示すように前記インジケータの点灯及び消灯を制御することを特徴とする請求項１乃至請求項３のいずれかに記載の情報出力制御装置。